(57)【要約】【課題】他の無線基地局との間で重複しないセル識別子を比較的容易に特定。【解決手段】無線基地局（１００）は、自局の位置を特定するための位置情報を取得する第１取得手段（１０２）と、セル識別子が対応付けられたブロック（１７０）を複数含み、セル識別子の重複使用を回避すべきセル範囲をカバーする領域を示し、マトリクス（１６０）を取得する第２取得手段（１１１）と、自局の位置及びマトリクスの夫々に基づいて、自局のセル範囲内に含まれるブロックに対応付けられたセル識別子を特定する特定手段（１１２、１１３）とを備える。【選択図】図４
2011124758.tif 000002
【特許請求の範囲】
【請求項１】
自局の位置を特定するための位置情報を取得する第１取得手段と、
一意に識別可能なセル識別子が対応付けられた領域を示すブロックを含み、自局のセル範囲及び自局との間での前記セル識別子の重複使用を回避すべきセル範囲をカバーする領域を示し、複数の前記ブロックを有するマトリクスを取得する第２取得手段と、
前記位置情報により特定される自局の位置及び前記マトリクスの夫々に基づいて、自局のセル範囲内に含まれる前記ブロックに対応付けられた前記セル識別子を特定する特定手段と
を備えることを特徴とする無線基地局。
【請求項２】
前記特定手段は、前記位置情報から特定される自局の位置に対応する一の前記ブロックを特定し、且つ特定された前記一のブロックを中心として自局のセル範囲に含まれる少なくとも一つのブロックに対応付けられたセル識別子を特定することを特徴とする請求項１に記載の無線基地局。
【請求項３】
前記特定手段は、前記位置情報から特定される自局の位置を示す位置パラメータを前記マトリクスに配列されている複数の前記ブロックの行数及び列数で除算することによって生ずる剰余から、前記一のブロックを特定することを特徴とする請求項２に記載の無線基地局。
【請求項４】
前記マトリクスは、自局のセル範囲及び自局と隣接する少なくとも一つの他の無線基地局のセル範囲をカバーすることを特徴とする請求項１から３のいずれか一項に記載の無線基地局。
【請求項５】
自局のセル範囲と重複するセル範囲をカバーする他の無線基地局が存在するか否かを判定する判定手段を更に備え、
前記取得手段は、自局のセル範囲と重複するセル範囲をカバーする他の無線基地局が存在すると判定された場合には、夫々に異なる前記セル識別子が割り当てられた複数のマトリクスのうち前記他の無線基地局が使用するマトリクス以外の他のマトリクスを取得し、
前記特定手段は、自局のセル範囲と重複するセル範囲をカバーする他の無線基地局が存在すると判定された場合には、前記他のマトリクスに基づいて、前記セル識別子を特定することを特徴とする請求項１から４のいずれか一項に記載の無線基地局。
【請求項６】
前記取得手段は、前記他の無線基地局が存在すると判定され且つ前記他の無線基地局の優先度が自局の優先度よりも高い場合には、前記複数のマトリクスのうち前記他の無線基地局が使用するマトリクス以外の他のマトリクスを取得し、
前記特定手段は、前記他の無線基地局が存在すると判定され且つ前記他の無線基地局の優先度が自局の優先度よりも高い場合には、前記他のマトリクスに基づいて前記セル識別子を特定することを特徴とする請求項５に記載の無線基地局。
【請求項７】
無線基地局におけるセル識別子の特定方法であって、
自局の位置を特定するための位置情報を取得する第１取得工程と、
一意に識別可能なセル識別子が対応付けられた領域を示すブロックを含み、自局のセル範囲及び自局との間での前記セル識別子の重複使用を回避すべきセル範囲をカバーする領域を示し、複数の前記ブロックを有するマトリクスを取得する第２取得工程と、
前記位置情報により特定される自局の位置及び前記マトリクスの夫々に基づいて、自局のセル範囲内に含まれる前記ブロックに対応付けられた前記セル識別子を特定する特定工程と
を備えることを特徴とするセル識別子の特定方法。
【発明の詳細な説明】
【技術分野】
【０００１】
本発明は、例えば移動端末との間で無線通信を行う無線基地局、並びにこのような無線基地局におけるセル識別子の特定方法の技術分野に関する。
【背景技術】
【０００２】
携帯電話システム等の無線通信システムでは、無線基地局（ｅＮＢ：ｅ  ＮｏｄｅＢ）は、自身がカバーするセル内に位置する移動端末（ＵＥ：User Equipment）との間で通信を行う。各無線基地局には、当該無線基地局自身がカバーするセルを移動端末が識別できるように、隣接する又は近接する無線基地局との間で重複しない固有のセル識別子が割り当てられる。例えば、一の無線基地局に対して一のセル識別子が割り当てられている場合には、一の無線基地局に隣接する又は近接する他の無線基地局に対して、一のセル識別子とは異なる他のセル識別子が割り当てられる。一方で、一の無線基地局に対して一のセル識別子が割り当てられている場合には、一の無線基地局がカバーするセルとオーバーラップするセルを持たない（即ち、一の無線基地局と距離的に大きく離れている）他の無線基地局に対して、一のセル識別子が割り当てられてもよいし一のセル識別子とは異なる他のセル識別子が割り当てられてもよい。従って、移動端末は、セル識別子によって自身が通信するべき無線基地局を識別すると共に、当該識別された無線基地局との間でデータを送受信する。
【先行技術文献】
【特許文献】
【０００３】
【特許文献１】特開平１１−６４０１４号公報
【発明の概要】
【発明が解決しようとする課題】
【０００４】
セル識別子の各無線基地局への割り当ては、隣接する又は近接する無線基地局に対して同一のセル識別子が重複して割り当てられないように、無線基地局を設置する又は保守するオペレータによって手動で行われる。つまり、隣接する又は近接する無線基地局間でセル識別子が衝突しないように、無線基地局を設置する又は保守するオペレータによって手動で行われる。より具体的には、セル識別子の各無線基地局への割り当ては、無線基地局の設置位置や、無線基地局がカバーするセル範囲（又は、セルの半径）や、無線基地局から発せられる電波に対する障害の有無や、実際のフィールド検証の結果等の各種要因を考慮した上で、オペレータによって手動で行われる。このため、セル識別子の各無線基地局への割り当てに要するコスト（例えば、時間的なコストや費用的なコストや運用的なコスト等）が非常に大きくなってしまう。
【０００５】
本発明が解決しようとする課題には上記のようなものが一例として挙げられる。本発明は、例えば他の無線基地局との間で重複しないセル識別子を比較的容易に特定可能な無線基地局及びこのようなセル識別子の特定方法を提供することを目的とする。
【課題を解決するための手段】
【０００６】
上記課題は、第１取得手段と第２取得手段と特定手段とを備える無線基地局によって解決され得る。
【０００７】
第１取得手段は、位置情報を取得する。位置情報は、自局（つまり、当該位置情報を取得する無線基地局）の位置を特定するための情報であって、例えば、一又は複数のＧＰＳ（Global Positioning System）衛星から発信されるＧＰＳ電波に含まれる情報が一例としてあげられる。この位置情報を取得することで、無線基地局は、自局の位置（例えば、緯度や経度等）を特定することができる。
【０００８】
第２取得手段は、複数のブロックを含むマトリクスを取得する。各ブロックは、一意に識別可能なセル識別子が対応付けられた領域（例えば、地理的な領域）を示す。従って、複数のブロックを含むマトリクスは、１つのブロックに対応する領域（例えば、細分化された領域）が複数組み合わされている領域（例えば、大領域）を示す。また、マトリクスは、自局（つまり、当該ブロックマトリクスを取得する無線基地局自身）のセル範囲及び自局との間でのセル識別子の重複使用を回避すべき（言い換えれば、許可されていない）セル範囲を少なくともカバーするサイズを有している。一例として、マトリクスは、当該マトリクスを取得する無線基地局自身のセル範囲及び当該無線基地局と隣接する若しくは近接する少なくとも一つの他の無線基地局のセル範囲を少なくともカバーするサイズを有していてもよい。
【０００９】
特定手段は、位置情報及びマトリクスに基づいて、自局のセル範囲内に含まれるブロックに対応付けられたセル識別子を特定する。例えば、特定手段は、マトリクス上で位置情報に基づいて特定される自局のセル範囲内に含まれるブロックが１つ存在する場合には、当該１つのブロックに対応付けられたセル識別子を特定する。或いは、例えば、特定手段は、マトリクス上で位置情報に基づいて特定される自局のセル範囲内に含まれるブロックが複数存在する場合には、当該複数のブロックの夫々に対応付けられたセル識別子を特定する。特定手段により特定されたセル識別子は、例えば自局のセルを識別するためのセル識別子として使用される。
【００１０】
上記課題はまた、第１取得工程と第２取得工程と特定工程とを備えるセル識別子の特定方法によって解決され得る。第１取得工程では、上述した第１取得手段が行う動作と同様の動作が行われる。具体的には、第１取得工程では、自局の位置を特定するための位置情報が取得される。第２取得工程では、上述した第２取得手段が行う動作と同様の動作が行われる。具体的には、第２取得工程では、夫々に異なるセル識別子が対応付けられた領域を示す複数のブロックを含むと共に自局及び自局との間でのセル識別子の重複使用を回避すべきセル範囲をカバーするマトリクスが取得される。特定工程では、上述した特定手段が行う動作と同様の動作が行われる。具体的には、特定工程では、位置情報及びマトリクスに基づいて、自局のセル範囲内に含まれるブロックに対応付けられたセル識別子が特定される。
【発明の効果】
【００１１】
以上説明した無線基地局及びセル識別子の特定方法によれば、位置情報及びマトリクスに基づいて、無線基地局が使用するべきセル識別子を無線基地局自身が自動的に又は自律的に特定することができる。従って、無線基地局が使用するべきセル識別子をオペレータが手動で特定する構成と比較して、セル識別子の特定（言い換えれば、割り当てないしは設定）に要するコスト（例えば、時間的なコストや費用的なコストや運用的なコスト等）を低減することができる。
【００１２】
加えて、セル識別子の特定の際に用いられるマトリクスは、自局との間でのセル識別子の重複使用を回避すべきセル範囲をカバーしている。従って、当該マトリクス上では、自局のセル範囲のみならず、自局との間でのセル識別子の重複使用を回避すべき他の無線基地局のセル範囲もまた配置される。このため、このマトリクスに基づいて特定されるセル識別子は、他の無線基地局が使用するセル識別子と重複することはなくなる。このため、セル識別子の特定に要するコストを低減しつつも、隣接するセル間でのセル識別子の重複がないようにセル識別子を適切に特定することができる。
【００１３】
また、以上説明したセル識別子の特定方法によれば、上述した無線基地局と同様の効果を享受することができる。
【図面の簡単な説明】
【００１４】
【図１】第１実施形態に係る無線通信システムの基本構成を示す構成図である。
【図２】第１実施形態に係るｅＮＢの基本構成を示すブロック図である。
【図３】第１実施形態に係るＵＥの基本構成を示すブロック図である。
【図４】第１実施形態に係る無線通信システムが備えるｅＮＢの動作の流れを示すフローチャートである。
【図５】ブロックマトリクスの一例を示す平面図である。
【図６】セルＩＤの具体的な特定動作をブロックマトリクス上で示す平面図である。
【図７】第２実施形態に係る無線通信システムの基本構成を示す構成図である。
【図８】第２実施形態に係るｅＮＢの基本構成を示すブロック図である。
【図９】第２実施形態に係るＵＥの基本構成を示すブロック図である。
【図１０】第２実施形態に係る無線通信システムが備えるｅＮＢの第１動作例の流れを示すフローチャートである。
【図１１】第１動作例に係るセルＩＤの具体的な特定動作をブロックマトリクス上で示す平面図である。
【図１２】第２実施形態に係る無線通信システムが備えるｅＮＢの第１動作例の流れを示すフローチャートである。
【発明を実施するための最良の形態】
【００１５】
以下、本発明を実施するための最良の形態を、図面に基づいて説明する。
【００１６】
（１）第１実施形態
初めに、第１実施形態に係る無線通信システムについての説明を進める。
【００１７】
（１−１）無線通信システムの全体構成
初めに、図１を参照して、第１実施形態の無線通信システム１の全体構成について説明する。ここに、図１は、第１実施形態の無線通信システム１の全体構成の一例を示すブロック図である。
【００１８】
図１に示すように、第１実施形態に係る無線通信システム１は、ｅＮＢ（ｅＮｏｄｅＢ）１００ａと、ｅＮＢ１００ｂと、ＵＥ（Ｕｓｅｒ  Ｅｑｕｉｐｍｅｎｔ）３００ａと、ＵＥ３００ｂと、ＵＥ３００ｃと、ＧＰＳ衛星５００とを備えている。尚、図１に示すｅＮＢの数、ＵＥの数及びＧＰＳ衛星の数は一例であって、ｅＮＢの数、ＵＥの数およびＧＰＳ衛星の数が図１に示す個数に限定されることはない。また、以下では、説明の便宜上、ｅＮＢ１００ａ及びｅＮＢ１００ｂを区別することなく説明する場合には、“ｅＮＢ１００”と称して説明を進める。同様に、ＵＥ３００ａ、ＵＥ３００ｂ及びＵＥ３００ｃを区別することなく説明する場合には、“ＵＥ３００”と称して説明を進める。
【００１９】
ｅＮＢ１００は、セル半径が概ね数ｋｍから十数ｋｍないしは数十ｋｍとなるセル１５０をカバーする無線基地局である。例えば、図１に示す例では、ｅＮＢ１００ａは、セル１５０ａをカバーする無線基地局であり、ｅＮＢ１００ｂは、セル１５０ｂをカバーする無線基地局である。ｅＮＢ１００は、自身がカバーするセル１５０中に位置するＵＥ３００との間で無線通信を行う。つまり、ｅＮＢ１００は、自身がカバーするセル１５０中に位置するＵＥ３００との間で通信コネクションを確立すると共に、ＵＥ３００に対してデータの送受信を行う。また、各ｅＮＢ１００がカバーするセル１５０は、その一部が他のセル１５０の一部又は全部と重なるように構成されていてもよいし、その全部が他のセル１５０と重ならないように構成されていてもよい。図１に示す例では、セル１５０ａが、当該セル１５０ａに隣接するセル１５０ｂと重ならない例が示されている。
【００２０】
ＵＥ３００は、自身がその内部に位置するセル１５０に対応するｅＮＢ１００との間でコネクションを確立すると共に、データの送受信を行う移動端末である。ＵＥ３００は、ｅＮＢ１００（更には、ｅＮＢ１００の上位に接続される不図示の上位局等）を介して、各種サービスないしはアプリケーション（例えば、メールサービスや、音声通話サービスや、ＷＥＢ閲覧サービスや、パケット通信サービス等）を利用することができる。このようなＵＥ３００として、例えば携帯電話や、ＰＤＡ（Personal Digital Assistant）や、その他無線通信機能を有する各種情報機器等が一例としてあげられる。つまり、第１実施形態に係る無線通信システム１は、例えば携帯電話システムや移動体通信システム等が一例としてあげられる。
【００２１】
ＧＰＳ衛星５００は、高精度原子時計に基づく時間情報や当該ＧＰＳ衛星の軌道情報を含むＧＰＳデータを送信している。第１実施形態に係る無線通信システム１では、ＧＰＳデータは、ｅＮＢ１００によって受信される。このため、ｅＮＢ１００は、受信したＧＰＳデータに基づいて、自局の位置を特定することができる。尚、図１では、図面の簡略化のために１つのＧＰＳ衛星５００のみが図示されている。しかしながら、実際には、測位方法（自局の位置の特定方法）によっては３つないしは４つ以上のＧＰＳ衛星５００からＧＰＳデータを受信する必要がある。このため、無線通信システム１は、実際には、少なくとも３つないしは４つ以上のＧＰＳ衛星５００を備えていることが好ましい。
【００２２】
尚、上述の説明では、セル半径が概ね数ｋｍから十数ｋｍないしは数十ｋｍとなるセル（いわゆる、マクロセル）１５０をカバーするｅＮＢ１００が例示されているが、ｅＮＢ１００に加えて又は代えて、セル半径が概ね数百ｍから１ｋｍとなるセル（いわゆる、マイクロセル）をカバーする無線基地局や、セル半径が概ね数ｍから十数ｍないしは数十ｍとなるセル（いわゆる、フェムトセル）をカバーする無線基地局を配置してもよい。また、セル半径が上述したサイズ以外のセルをカバーする各種無線基地局を配置してもよい。
【００２３】
（１−２）ブロック図
続いて、図２及び図３を参照して、第１実施形態に係る無線通信システム１が備えるｅＮＢ１００及びＵＥ３００の夫々の基本構成について説明する。
【００２４】
（１−２−１）ｅＮＢのブロック図
初めに、図２を参照して、第１実施形態に係るｅＮＢ１００の基本構成について説明する。ここに、図２は、第１実施形態に係るｅＮＢ１００の基本構成の一例を示すブロック図である。
【００２５】
図２に示すように、ｅＮＢ１００は、その要部に着目すれば、無線送受信処理部１０１と、ＧＰＳ制御部１０２と、制御部１０３と、メモリ１０４とを備えている。
【００２６】
無線送受信処理部１０１は、制御部１０３等において生成されたデータをＵＥ３００に対して送信する。また、無線送受信処理部１０１は、ＵＥ３００から送信されるデータを受信する。このため、無線送受信処理部１０１は、例えば、データの符号化（例えば、畳込み符号やターボ符号等の誤り訂正符号化）処理又は復号化処理等を含むベースバンド処理を行うベースバンド処理回路や、ＱＰＳＫ変調や１６ＱＡＭ変調等の変調処理を行う変調回路や、復調処理を行う復調回路や、送信電力又は受信電力を調整するＲＦ回路や、電波を送信又は受信するアンテナ等を含む。
【００２７】
ＧＰＳ制御部１０２は、上述した「第１取得手段」の一実施例であって、一又は複数のＧＰＳ衛星５００（より具体的には、例えば３つないしは４つのＧＰＳ衛星５００）から送信されるＧＰＳデータを受信する。尚、ＧＰＳデータは、上述した「位置情報」の一実施例である。加えて、ＧＰＳ制御部１０２は、受信したＧＰＳデータに基づいて、ｅＮＢ１００自身の地理的な位置（例えば、緯度及び経度）を特定する。特定されたｅＮＢ１００自身の位置を示す位置データは、ＧＰＳ制御部１０２から制御部１０３へと転送される。
【００２８】
制御部１０３は、ｅＮＢ１００全体の動作を制御する。制御部１０３としては、例えば所定のファームウェアに基づいて動作するＣＰＵ（Ｃｅｎｔｒａｌ  Ｐｒｏｃｅｓｓｏｒ  Ｕｎｉｔ）等が一例としてあげられる。
【００２９】
制御部１０３は、その内部に構成される論理的な又は機能的な処理ブロックとして、ＧＰＳ制御部１０２により特定された位置データに基づいて、ｅＮＢ１００が使用するべきセルＩＤを特定するマトリクス管理部１１０を備えている。また、マトリクス管理部１１０は、その内部に構成される論理的な又は機能的な処理ブロックとして、上述した「第２取得手段」の一実施例である候補マトリクス選択部１１１と、上述した「特定手段」の一実施例であるブロック位置算出処理部１１２と、上述した「特定手段」の一実施例であるセルＩＤ変換処理部１１３とを備えている。このような処理ブロックは、例えば制御部１０３の動作を規定するファームウェアの一部のプログラムの動作として実現されてもよいし、或いはファームウェアから独立したプログラムの動作として実現されてもよい。或いは、候補マトリクス選択部１１１、ブロック位置算出処理部１１２及びセルＩＤ変換処理部１１３は、制御部１０３とは独立した１つの回路として実現されてもよい。
【００３０】
候補マトリクス選択部１１１は、セルＩＤを一意に特定するために使用される後述のマトリクス１６０を指定する。指定されたマトリクス１６０は、候補マトリクス選択部１１１からブロック位置算出処理部１１２に通知される。尚、後述するようにマトリクス１６０は複数のブロック１７０を含んでいる。このため、以下の説明では、マトリクス１６０を“ブロックマトリクス１６０”と称して説明を進める。
【００３１】
ブロック位置算出処理部１１２は、ＧＰＳ制御部１０２により特定された位置データを、候補マトリクス選択部１１２により指定されたブロックマトリクス１６０上の位置に変換する。具体的には、ブロック位置算出処理部１１２は、候補マトリクス選択部１１１により指定されたブロックマトリクス１６０に含まれる複数のブロック１７０のうち、ＧＰＳ制御部１０２により特定された位置データに対応する１つのブロック１７０を特定する。特定された１つのブロック１７０は、ブロック位置算出処理部１１２からセルＩＤ変換処理部１１３に対して通知される。
【００３２】
セルＩＤ変換処理部１１３は、候補マトリクス選択部１１１により指定されたブロックマトリクス１６０及びブロック位置算出処理部１１２により特定された１つのブロック１７０に基づいて、ｅＮＢ１００が使用するべきセルＩＤを特定する。
【００３３】
尚、候補マトリクス選択部１１１、ブロック位置算出処理部１１２及びセルＩＤ変換処理部１１３の夫々のより詳細な動作は、後述する動作例において詳述する。
【００３４】
メモリ１０４は、ｅＮＢ１００内部で使用するデータを一時的に格納する記憶領域を含んでいる。また、メモリ１０４は、ｅＮＢ１００としての動作を行うためのプログラム（即ち、ファームウェア）が格納される記憶領域等を含んでいてもよい。このようなメモリ１０４としては、例えばＲＡＭ（Random Access Memory）等の半導体メモリや、その他の各種記録媒体が一例としてあげられる。
【００３５】
（１−２−２）ＵＥのブロック図
続いて、図３を参照して、第１実施形態に係るＵＥ３００の基本構成について説明する。ここに、図３は、第１実施形態に係るＵＥ３００の基本構成の一例を示すブロック図である。
【００３６】
図３に示すように、ＵＥ３００は、その要部に着目すれば、無線送受信処理部３０１と、制御部３０３と、メモリ３０４とを備えている。
【００３７】
無線送受信処理部３０１は、上述した無線送受信処理部１０１と同様の構成を有しており、制御部３０３等において生成されたデータをｅＮＢ１００に対して送信すると共に、ｅＮＢ１００から送信されるデータを受信する。このため、無線送受信処理部３０１は、上述した無線送受信処理部１０１と同様に、例えば、ベースバンド処理回路や、変調回路や、復調回路や、ＲＦ回路や、アンテナ等を含む。
【００３８】
制御部３０３は、ＵＥ３００全体の動作を制御する。制御部３０３としては、例えば所定のファームウェアに基づいて動作するＣＰＵ等が一例としてあげられる。
【００３９】
メモリ３０４は、ＵＥ３００内部で使用するデータを一時的に格納する記憶領域を含んでいる。また、メモリ３０４は、ＵＥ３００としての動作を行うためのプログラム（即ち、ファームウェア）が格納される記憶領域等を含んでいてもよい。このようなメモリ３０４としては、例えばＲＡＭ（Random Access Memory）等の半導体メモリや、その他の各種記録媒体が一例としてあげられる。
【００４０】
（１−３）動作説明
続いて、図４を参照して、第１実施形態に係る無線通信システム１が備えるｅＮＢ１００の動作（セルＩＤの特定動作）について説明する。ここに、図４は、第１実施形態に係る無線通信システム１が備えるｅＮＢ１００の動作の流れの一例を示すフローチャートである。
【００４１】
図４に示すように、まず、ｅＮＢ１００が備えるＧＰＳ制御部１０２は、ＧＰＳ衛星５００から送信されるＧＰＳデータ（例えば、高精度原子時計に基づく時間情報や当該ＧＰＳ衛星の軌道情報等）を受信する（ステップＳ１１）。その結果、ＧＰＳ制御部１０２は、受信したＧＰＳデータに基づいて、ｅＮＢ１００の位置データを特定する。尚、以下の説明では、ｅＮＢ１００の緯度（度分秒）及び経度（度分秒）が位置データに含まれる例について説明を進める。但し、位置データがこれに限定されるものではなく、ｅＮＢ１００の地理的な位置を特定することができるデータであればどのようなデータであってもよい。特定された位置データは、ＧＰＳ制御部１０２から制御部１０３へと転送される。
【００４２】
続いて、ｅＮＢ１００が備える候補マトリクス選択部１１１は、続く処理において使用されるブロックマトリクス１６０を指定する（ステップＳ１２）。指定されたブロックマトリクス１６０は、候補マトリクス選択部１１１からブロック位置算出処理部１１２に通知される。
【００４３】
ここで、図５を参照して、ブロックマトリクス１６０についてより詳細に説明する。ここに、図５は、ブロックマトリクス１６０の一例を示す平面図である。
【００４４】
図５に示すように、ブロックマトリクス１６０は、Ｎ（但し、Ｎは１以上の整数）行×Ｍ（但し、Ｍは１以上の整数）列のマトリクス状に配列された複数のブロック１７０（具体的には、Ｎ×Ｍ個のブロック１７０）を備えている。尚、図５では、６行×６列のマトリクス状に配列された３６個のブロック１７０を備えるブロックマトリクス１６０を一例として示している。
【００４５】
各ブロック１７０は、所定の領域（言い換えれば、所定の地理的な領域）を示している。このため、各ブロック１７０の大きさ（例えば、図５中縦方向の大きさ及び図５中横方向の大きさ）は、所定の地理的な距離に対応付けられている。例えば、ｅＮＢ１００の位置データが緯度及び経度を含み且つ１秒が約３０．９ｍに対応していることを考慮すれば、１つのブロックの縦方向の大きさ及び横方向の大きさは、３０．９ｍ（或いは、３０．９ｍのＫ（但し、Ｋは２以上の整数）倍）の距離に対応付けられていてもよい。このように構成すれば、異なる緯度及び経度に位置する複数のｅＮＢ１００の夫々を、互いに区別しながら１つのブロック１７０に適切に対応付けることができる。但し、各ブロック１７０の大きさがその他の距離に対応付けられていてもよいことは言うまでもない。
【００４６】
各ブロック１７０には、固有のセルＩＤが対応付けられている。具体的には、図５に示す例では、ブロックマトリクス１６０の開始位置となる一番左上のブロック１７０からブロックマトリクス１６０の終了位置となる一番右下のブロック１７０に至るまでに、初期値を１とするセルＩＤが１ずつインクリメントされながら各ブロック１７０に順次対応付けられている。より具体的には、図５に示す例では、Ｘ（但し、Ｘは、１≦Ｘ≦６を満たす整数）行Ｙ（但し、Ｙは、１≦Ｙ≦６を満たす整数）列目のブロック１７０には、「６×（Ｘ−１）＋Ｙ」にて特定されるセルＩＤが対応付けられている。尚、ブロック１７０の数に限らず、図５に示す例と同様の態様で各ブロック１７０に固有のセルＩＤが割り当てられることは言うまでもない。
【００４７】
ブロックマトリクス１６０は、後述するセルＩＤの特定動作の際には、図５に示すように同一のブロックマトリクス１６０が上下左右に配列されるように使用される。つまり、複数のｅＮＢ１００が地理的に広がる面上に配置されることを考慮して、同一のブロックマトリクス１６０が上下左右に広がる面上に配列されるように使用される。これにより、複数のｅＮＢ１００が配置される面がどのような大きさないしは形状であっても、ブロックマトリクス１６０（或いは、ブロックマトリクス１６０に含まれる複数のブロック１７０）と複数のｅＮＢ１００との対応付けを適切に行うことができる。
【００４８】
このようなブロックマトリクス１６０を指定するには、少なくともブロックマトリクス１６０中に含まれる複数のブロック１７０の行数（つまり、Ｎ）及び列数（つまり、Ｍ）、各ブロック１７０の大きさ、並びにセルＩＤの初期値（開始番号）を特定する必要がある。このため、第１実施形態においては、ブロックマトリクス１６０中に含まれる複数のブロック１７０の行数及び列数は、例えばオペレータ等によって予め決定されていることが好ましい。また、各ブロック１７０の大きさもまた、例えばオペレータ等によって予め決定されていることが好ましい。加えて、セルＩＤの初期値（開始番号）もまた、例えばオペレータ等によって予め決定されていることが好ましい。予め決定されていることが好ましいこれらの数値は、ｅＮＢ１００の動作用のパラメータとしてメモリ１０４等に格納されていることが好ましい。例えば、図５に示すブロックマトリクス１６０であれば、ブロックマトリクス１６０中に含まれる複数のブロック１７０の行数を示す「６」及びブロックマトリクス１６０中に含まれる列数を示す「６」、各ブロック１７０の大きさを示す「３０．９ｍ」及びセルＩＤの初期値（開始番号）を示す「１」が、動作用のパラメータとしてメモリ１０４等に格納されていることが好ましい。従って、候補マトリクス選択部１１１は、これらのパラメータを取得することで、ブロックマトリクス１６０を指定することが好ましい。
【００４９】
加えて、これらのパラメータは、隣接する又は近接する複数のｅＮＢ１００間での同一のセルＩＤの重複使用を避けるという観点から適切に設定されることが好ましい。一例として、一のｅＮＢ１００ａのセル１５０ａ及び当該一のｅＮＢ１００ａに隣接する若しくは近接する一若しくは複数の他のｅＮＢ１００ｂのセル１５０ｂの夫々が、１つのブロックマトリクス１６０によってカバーされるように、これらのパラメータが設定されていることが好ましい。
【００５０】
尚、ブロックマトリクス１６０を特定するために必要なパラメータを取得することでブロックマトリクス１６０を指定することに代えて、ブロックマトリクス１６０そのものを直接取得するように構成してもよい。この場合には、ブロックマトリクス１６０そのものをメモリ１０４に格納することによってメモリ１０４の使用量が増大するものの、ブロックマトリクス１６０の詳細な構成を演算によって指定しなくてもよい。このため、制御部１０３における処理負荷の低減を図ることができる。
【００５１】
再び図４において、続いて、ｅＮＢ１００が備えるブロック位置算出処理部１１２は、位置データに含まれる緯度及び経度によって特定されるｅＮＢ１００の位置（中心位置）に対応するブロックマトリクス１６０上のブロック１７０を算出する（ステップＳ１３）。算出されたｅＮＢ１００の位置に対応するブロック１７０を示す情報は、ブロック位置算出処理部１１２からセルＩＤ変換処理部１１３に対して通知される。
【００５２】
第１実施形態では、ｅＮＢ１００の位置を示す位置データ中に含まれる緯度を、ブロックマトリクス１６０に含まれる複数のブロック１７０の行数で除算することで得られる剰余から、ｅＮＢ１００の位置に対応するブロックマトリクス１６０上の特定のブロック１７０の行番号を算出することが好ましい。より具体的には、ブロック位置算出処理部１１２は、まず、剰余とブロック１７０の行数との対応付けを設定する。或いは、剰余とブロック１７０の行数との対応付けの設定が例えばオペレータ等によって予め行われており、剰余とブロック１７０の行数との対応付けの設定がメモリ１０４等に格納されていてもよい。例えば、図５に示す例で言えば、剰余が「０」の場合に行番号「１」が対応し、剰余が「１」の場合に行番号「２」が対応し、剰余が「２」の場合に行番号「３」が対応し、剰余が「３」の場合に行番号「４」が対応し、剰余が「４」の場合に行番号「５」が対応し、剰余が「５」の場合に行番号「６」が対応しているという設定が行われているとする。ここで、ｅＮＢ１００の位置を示す位置データ中に含まれる緯度（より具体的には、緯度から一意に導かれるパラメータ）を、ブロックマトリクス１６０に含まれる複数のブロック１７０の行数「６」で除算した剰余が４であったとする。この場合、ｅＮＢ１００の位置に対応するブロックマトリクス１６０上のブロック１７０の行番号は、「４」であると算出される。
【００５３】
同様に、第１実施形態では、ｅＮＢ１００の位置を示す位置データ中に含まれる経度を、ブロックマトリクス１６０に含まれる複数のブロック１７０の列数で除算することで得られる剰余から、ｅＮＢ１００の位置に対応するブロックマトリクス１６０上のブロック１７０の列番号を算出することが好ましい。つまり、経度の場合も、緯度の場合と同様の態様で、ｅＮＢ１００の位置に対応するブロックマトリクス１６０上のブロック１７０の列番号を算出することが好ましい。
【００５４】
続いて、ｅＮＢ１００が備えるセルＩＤ変換処理部１１３は、ｅＮＢ１００のセル１５０の範囲内に含まれるブロック１７０を算出する（ステップＳ１４）。具体的には、まず、セルＩＤ変換処理部１１３は、ｅＮＢ１００の動作パラメータとしてメモリ１０４等に格納されているｅＮＢ１００のセル１５０のセル半径を取得する。その後、ステップＳ１３に示す動作によって特定されたｅＮＢ１００の位置に対応する特定のブロック１７０を中心とし且つ取得したセル半径を半径となるセルを、ブロックマトリクス１６０上で特定する。これにより、セルＩＤ変換処理部１１３は、ブロックマトリクス１６０上におけるセル１５０を特定することができる。その後、セルＩＤ変換処理部１１３は、ブロックマトリクス１６０上で特定されたセル１５０の範囲内に含まれるブロック１７０を算出することができる。尚、第１実施形態では、ブロックマトリクス１６０上で特定されたセル１５０の範囲内に全体が含まれるブロック１７０を、ｅＮＢ１００のセル１５０の範囲内に含まれるブロック１７０として算出することが好ましい。言い換えれば、第１実施形態では、ブロックマトリクス１６０上で特定されたセル１５０の範囲内に一部が含まれるブロック１７０は、ｅＮＢ１００のセル１５０の範囲内に含まれるブロック１７０として算出しないことが好ましい。
【００５５】
その後、ｅＮＢ１００が備えるセルＩＤ変換処理部１１３は、ステップＳ１４において算出されたセル１５０の範囲内に含まれるブロック１７０に対応付けられたセルＩＤを、ｅＮＢ１００自身が使用するセルＩＤとして特定する（ステップＳ１５）。その後、ステップＳ１５において特定されたセルＩＤを用いて、ＵＥ３００との間で無線通信を行う。
【００５６】
尚、セル１５０の範囲内に含まれるブロック１７０に対応付けられたセルＩＤを、ｅＮＢ１００自身が使用するセルＩＤとして特定することを考慮すれば、ｅＮＢ１００のセル１５０の範囲内に少なくとも１つのブロック１７０が含まれることが好ましい。従って、ブロックマトリクス１６０を指定するためのパラメータ（つまり、ブロックマトリクス１６０中に含まれる複数のブロック１７０の行数及び列数、各ブロック１７０の大きさ、並びにセルＩＤの初期値）は、ｅＮＢ１００のセル１５０の範囲内に少なくとも１つのブロック１７０が含まれる状態を実現できるように予め決定されていることが好ましい。
【００５７】
以上説明したセルＩＤの特定動作について、図６に示す実施例を参照しながらより詳細に説明する。ここに、図６は、セルＩＤの具体的な特定動作をブロックマトリクス１６０上で示す平面図である。
【００５８】
図６に示すように、行数及び列数が夫々「１２」となるブロックマトリクス１６０を用いて、セルＩＤの特定動作を行う例について説明する。また、セルＩＤの初期値は１であるものとする。従って、Ｘ（但し、Ｘは、１≦Ｘ≦１２を満たす整数）行Ｙ（但し、Ｙは、１≦Ｙ≦１２を満たす整数）列目のブロック１７０には、「１２×（Ｘ−１）＋Ｙ」にて特定されるセルＩＤが対応付けられている。また、図６では、夫々が６角形にて近似されると共に太い実線にて特定されるセル１５０をカバーする複数のｅＮＢ１００が、ハニカム構造状に配列される例について説明する。
【００５９】
この場合、中心に位置する１つのｅＮＢ１００が使用するセルＩＤは、当該ｅＮＢ１００に隣接する６つのｅＮＢ１００が使用するセルＩＤと衝突してはいけない。このため、中心に位置する１つのｅＮＢ１００のセル１５０及び当該ｅＮＢ１００に隣接する６つのｅＮＢ１００の６つのセル１５０が１つのブロックマトリクス１６０によってカバーされるように、ブロックマトリクス１６０中に含まれる複数のブロック１７０の行数及び列数、各ブロック１７０の大きさ、並びにセルＩＤの初期値が予め設定されている。
【００６０】
まず、ｅＮＢ１００ａによるセルＩＤの特定動作について説明する。この場合、ｅＮＢ１００ａは、自身の位置に対応するブロック１７０を算出する。算出の結果、ｅＮＢ１００ａの位置に対応するブロック１７０が、図６中濃い網掛けにて特定される７行７列目のブロック１７０であると算出されたとする。続いて、ｅＮＢ１００ａは、自身のセル１５０ａの範囲内に含まれるブロック１７０を算出する。例えば、ｅＮＢ１００ａのセル１５０ａが、ブロックマトリクス１６０上で図６に示す範囲で分布しているとする。この場合、ｅＮＢ１００ａのセル１５０ａの範囲内に含まれるブロック１７０として、図６中薄い網掛けにて特定される５行７列目のブロック１７０、６行６列目のブロック１７０、６行７列目のブロック１７０、６行８列目のブロック１７０、７行６列目のブロック１７０、７行７列目のブロック１７０、７行８列目のブロック１７０及び８行７列目のブロック１７０が算出される。その結果、ｅＮＢ１００ａは、自身が使用するセルＩＤとして、５５、６６、６７、６８、７８、７９、８０及び９１を特定する。
【００６１】
続いて、ｅＮＢ１００ａに隣接するｅＮＢ１００ｂによるセルＩＤの特定動作について説明する。この場合、ｅＮＢ１００ｂは、自身の位置に対応するブロック１７０を算出する。算出の結果、ｅＮＢ１００ｂの位置に対応するブロック１７０が、図６中濃い網掛けにて特定される９行１０列目のブロック１７０であると算出されたとする。続いて、ｅＮＢ１００ｂは、自身のセル１５０ｂの範囲内に含まれるブロック１７０を算出する。例えば、ｅＮＢ１００ｂのセル１５０ｂがブロックマトリクス１６０上で図６に示す範囲で分布しているとすると、ｅＮＢ１００ｂのセル１５０ｂの範囲内に含まれるブロック１７０として、図６中薄い網掛けにて特定される７行１０列目のブロック１７０、８行９列目のブロック１７０、８行１０列目のブロック１７０、８行１１列目のブロック１７０、９行９列目のブロック１７０、９行１０列目のブロック１７０、９行１１列目のブロック１７０及び１０行１０列目のブロック１７０が算出される。その結果、ｅＮＢ１００ｂは、自身が使用するセルＩＤとして、８２、９３、９４、９５、１０５、１０６、１０７及び１１８を特定する。このセルＩＤは、ｅＮＢ１００ｂに隣接するｅＮＢ１００ａが使用するべきセルＩＤとは重複していない。
【００６２】
続いて、ｅＮＢ１００ｂに隣接する一方でｅＮＢ１００ａに隣接しないｅＮＢ１００ｃによるセルＩＤの特定動作について説明する。この場合、ｅＮＢ１００ｃは、自身の位置に対応するブロック１７０を算出する。算出の結果、ｅＮＢ１００ｃの位置に対応するブロック１７０が、図６中濃い網掛けにて特定される１１行２列目のブロック１７０であると算出されたとする。続いて、ｅＮＢ１００ｃは、自身のセル１５０ｃの範囲内に含まれるブロック１７０を算出する。例えば、ｅＮＢ１００ｃのセル１５０ｃがブロックマトリクス１６０上で図６に示す範囲で分布しているとすると、ｅＮＢ１００ｃのセル１５０ｃの範囲内に含まれるブロック１７０として、図６中薄い網掛けにて特定される９行１列目のブロック１７０、９行２列目のブロック１７０、１０行１列目のブロック１７０、１０行２列目のブロック１７０、１１行１列目のブロック１７０、１１行２列目のブロック１７０、１２行１列目のブロック１７０及び１２行２列目のブロック１７０が算出される。その結果、ｅＮＢ１００ｂは、自身が使用するセルＩＤとして、９７、９８、１０９、１１０、１２１、１２２、１３３及び１３４を特定する。このセルＩＤは、ｅＮＢ１００ｃに隣接するｅＮＢ１００ｂが使用するべきセルＩＤとは重複していない。
【００６３】
また、説明の簡略化のために詳細な説明を省略するが、ｅＮＢ１００ａからｅＮＢ１００ｃに限らず、その他のｅＮＢ１００についても同様に、自身が使用するセルＩＤとして、隣接するｅＮＢ１００が使用するセルＩＤと重複しないセルＩＤが特定される。
【００６４】
以上説明したように、第１実施形態に係る無線通信システム１が備えるｅＮＢ１００によれば、ＧＰＳデータに基づいて算出される位置データ及び予め設定されるブロックマトリクス１６０の夫々に基づいて、ｅＮＢ１００自身が使用するべきセルＩＤを自動的に又は自律的に特定することができる。従って、ｅＮＢ１００が使用するべきセルＩＤをオペレータが手動で設定する構成と比較して、セルＩＤの特定に要するコスト（例えば、時間的なコストや費用的なコストや運用的なコスト等）を相対的に低減することができる。
【００６５】
加えて、セルＩＤの特定の際に用いられるＭ行×Ｎ行のブロック１７０を含むブロックマトリクス１６０は、セルＩＤの重複使用を回避すべきセル範囲をカバーしている。従って、当該ブロックマトリクス１６０上には、中心となるｅＮＢ１００のセル範囲に加えて、当該中心となるｅＮＢ１００との間でのセルＩＤの重複使用を回避すべき他のｅＮＢのセル範囲が配置される。このため、このようなブロックマトリクス１６０に基づいて特定されるセルＩＤは、他のｅＮＢ１００が使用するセルＩＤと重複することはなくなる。このため、セルＩＤの特定に要するコストを低減しつつも、隣接するセル１５０間での重複がないようにセルＩＤを適切に特定することができる。
【００６６】
第１実施形態では、セルＩＤを特定する対象となる１つのｅＮＢ１００のセル１５０及び対象ｅＮＢ１００に隣接する一又は複数のｅＮＢ１００の夫々のセル１５０が１つのブロックマトリクス１６０に含まれるように、ブロックマトリクス１６０が設定されていてもよい。このため、対象となる１つのｅＮＢ１００に着目すれば、当該対象となるｅＮＢ１００を中心とすると共に隣接するｅＮＢ１００のセル１５０を含む仮想的なブロックマトリクス１６０上では、対象となるｅＮＢ１００のセル１５０の範囲内に含まれるブロック１７０が、隣接するｅＮＢ１００のセル１５０の範囲内に重複して含まれることがなくなる。より具体的には、図６に示すように、ｅＮＢ１００ａに着目すれば、ｅＮＢ１００ａを中心とする仮想的なブロックマトリクス１６０ａは、１行１列目のブロック１７０から１２行１２列目のブロック１７０までを含むことになる。このブロックマトリクス１６０ａから分かるように、ｅＮＢ１００ａのセル１５０の範囲内に含まれるブロック１７０（つまり、５行７列目のブロック１７０、６行６列目のブロック１７０、６行７列目のブロック１７０、６行８列目のブロック１７０、７行６列目のブロック１７０、７行７列目のブロック１７０、７行８列目のブロック１７０及び８行７列目のブロック１７０）は、ｅＮＢ１００ａに隣接する６つのｅＮＢ１００の夫々のセル１５０の範囲内に重複して含まれることはない。同様に、図６に示すように、ｅＮＢ１００ｂに着目すれば、ｅＮＢ１００ｂを中心とする仮想的なブロックマトリクス１６０ｂは、３行５列目のブロック１７０から２行４列目のブロック１７０までを含むことになる。このブロックマトリクス１６０ｂから分かるように、ｅＮＢ１００ｂのセル１５０の範囲内に含まれるブロック１７０（つまり、７行１０列目のブロック１７０、８行９列目のブロック１７０、８行１０列目のブロック１７０、８行１１列目のブロック１７０、９行９列目のブロック１７０、９行１０列目のブロック１７０、９行１１列目のブロック１７０及び１０行１０列目のブロック１７０）が、ｅＮＢ１００ｂに隣接する６つのｅＮＢ１００の夫々のセル１５０の範囲内に重複して含まれることはない。同様に、図６に示すように、ｅＮＢ１００ｃに着目すれば、ｅＮＢ１００ｃを中心とする仮想的なブロックマトリクス１６０ｃは、５行８列目のブロック１７０から４行７列目のブロック１７０までを含むことになる。このブロックマトリクス１６０ｃから分かるように、ｅＮＢ１００ｃのセル１５０の範囲内に含まれるブロック１７０（つまり、９行１列目のブロック１７０、９行２列目のブロック１７０、１０行１列目のブロック１７０、１０行２列目のブロック１７０、１１行１列目のブロック１７０、１１行２列目のブロック１７０、１２行１列目のブロック１７０及び１２行２列目のブロック１７０）が、ｅＮＢ１００ｃに隣接する６つのｅＮＢ１００の夫々のセル１５０の範囲内に重複して含まれることはない。このように、上述したブロックマトリクス１６０に基づいて特定されるセルＩＤは、隣接する複数のｅＮＢ１００が使用するセルＩＤと重複することはなくなる。このため、セルＩＤの特定に要するコストを低減しつつも、隣接するセル間での重複がないようにセルＩＤを適切に特定することができる。
【００６７】
また、ｅＮＢ１００は、位置データにより特定されるｅＮＢ１００自身の位置及び予め設定されているセル半径を参照すれば、ブロックマトリクス１６０上でのｅＮＢ１００自身のセル１５０を特定することができる。言い換えれば、ｅＮＢ１００は、実際のセル１５０の大きさや形状等を複雑且つ高度な演算を用いて算出することなく、ブロックマトリクス１６０上でのｅＮＢ１００自身のセル１５０を特定することができる。このため、ｅＮＢ１００は、ｅＮＢ１００のセル１５０に含まれるブロック１７０を比較的容易に特定することができる。
【００６８】
また、ｅＮＢ１００は、位置データに含まれる緯度及び経度を除算した剰余を用いて、ブロックマトリクス１６０上におけるｅＮＢ１００の位置に対応するブロック１７０を算出している。このため、ブロックマトリクス１６０上において、ｅＮＢ１００の位置に対応する１つのブロック１７０を算出することができる。
【００６９】
更には、上述の如く剰余を用いてｅＮＢ１００の位置に対応するブロック１７０を算出しているため、相対的に小さい範囲をカバーする１つのブロックマトリクス１６０をマトリクス状に配列するように使いまわしたとしても、ｅＮＢ１００の位置に対応する１つのブロック１７０を算出することができる。仮に緯度及び経度の夫々を直接ブロック１７０に対応付けようとすれば、当該無線通信システム１が適用される全ての地域に対応付けられた膨大なないしは広大なブロックマトリクス１６０を用意する必要がある。しかるに、第１実施形態では、上述の如く剰余を用いてｅＮＢ１００の位置に対応するブロック１７０を算出しているため、当該無線通信システム１が適用される全地域を、相対的に小さな１つのブロックマトリクス１６０でカバーすることができる。
【００７０】
（２）第２実施形態
続いて、第２実施形態に係る無線通信システム２について説明を進める。尚、第１実施形態に係る無線通信システム１と同一の構成及び動作については、同一の参照符号を付してその詳細な説明については省略する。
【００７１】
（２−１）無線通信システムの全体構成
初めに、図７を参照して、第２実施形態の無線通信システム２の全体構成について説明する。ここに、図７は、第２実施形態の無線通信システム２の全体構成の一例を示すブロック図である。
【００７２】
図７に示すように、第２実施形態に係る無線通信システム２は、ｅＮＢ（ｅＮｏｄｅＢ）２００ａと、ｅＮＢ２００ｂと、ＵＥ（Ｕｓｅｒ  Ｅｑｕｉｐｍｅｎｔ）４００ａと、ＵＥ４００ｂと、ＵＥ４００ｃと、ＧＰＳ衛星５００とを備えている。つまり、第２実施形態に係る無線通信システム２の全体構成は、図１に示した第１実施形態に係る無線通信システム１の全体構成と概ね同一である。
【００７３】
但し、第２実施形態に係る無線通信システム２では、図７に示すように、ｅＮＢ２００ａのセル２５０ａがｅＮＢ２００ｂのセル２５０ｂと重複する（つまり、ｅＮＢ２００ａとｅＮＢ２００ｂとが概ね同じ位置に配置される）構成を考慮している。そして、第２実施形態に係る無線通信システム２では、あるｅＮＢ２００ａのセル２５０ａが他のｅＮＢ２００ｂのセル２５０ｂと重複する場合であっても、セルＩＤの特定動作を適切に行うことができる。このため、上述した第１実施形態に係る無線通信システム１と比較して、ｅＮＢ２００及びＵＥ４００の内部構成及び動作が異なっている。以下、変更点を中心として、第２実施形態についての説明を進める。
【００７４】
（２−２）ブロック図
続いて、図８及び図９を参照して、第２実施形態に係る無線通信システム２が備えるｅＮＢ２００及びＵＥ４００の夫々の基本構成について説明する。
【００７５】
（２−２−１）ｅＮＢのブロック図
初めに、図８を参照して、第２実施形態に係るｅＮＢ２００の基本構成について説明する。ここに、図８は、第２実施形態に係るｅＮＢ２００の基本構成の一例を示すブロック図である。
【００７６】
図８に示すように、ｅＮＢ２００は、第１実施形態に係るｅＮＢ１００と同様に、その要部に着目すれば、無線送受信処理部１０１と、ＧＰＳ制御部１０２と、制御部２０３と、メモリ１０４とを備えている。また、制御部２０３は、その内部に構成される論理的な又は機能的な処理ブロックとして、第１実施形態に係るｅＮＢ１００と同様に、マトリクス管理部１１０を備えている。また、マトリクス管理部１１０は、その内部に構成される論理的な又は機能的な処理ブロックとして、第１実施形態に係るｅＮＢ１００と同様に、候補マトリクス選択部１１１と、ブロック位置算出処理部１１２と、セルＩＤ変換処理部１１３とを備えている。
【００７７】
第２実施形態に係るｅＮＢ２００では、制御部２０３は、その内部に構成される論理的な又は機能的な処理ブロックとして、オーバーラップ制御部２１０を備えている。また、オーバーラップ制御部２１０は、その内部に構成される論理的な又は機能的な処理ブロックとして、セルＩＤ衝突検知部２１１と、候補マトリクス再選択処理部２１２とを備えている。このような処理ブロックは、例えば制御部２０３の動作を規定するファームウェアの一部のプログラムの動作として実現されてもよいし、或いはファームウェアから独立したプログラムの動作として実現されてもよい。或いは、セルＩＤ衝突検知部２１１及び候補マトリクス再選択処理部２１２は、制御部２０３とは独立した１つの回路として実現されてもよい。
【００７８】
セルＩＤ衝突検知部２１１は、上述の「判定手段」の一実施例をであって、ＵＥ４００から通知される無線品質測定結果を示すメッセージに基づいて、他のｅＮＢ２００との間でセルＩＤが衝突しているか否か（言い換えれば、重複しているか否か）を判定する。
【００７９】
候補マトリクス再選択処理部２１２は、セルＩＤ衝突検知部２１１によってセルＩＤが衝突していることが検知された場合に、セルＩＤの特定に使用されるブロックマトリクス１６０を再度選択するよう候補マトリクス選択部１１１を制御する。
【００８０】
尚、セルＩＤ衝突検知部２１１及び候補マトリクス再選択処理部２１２の夫々のより詳細な動作は、後述する動作例において詳述する。
【００８１】
（２−２−２）ＵＥのブロック図
続いて、図９を参照して、第２実施形態に係るＵＥ４００の基本構成について説明する。ここに、図９は、第４実施形態に係るＵＥ４００の基本構成の一例を示すブロック図である。
【００８２】
図９に示すように、ＵＥ４００は、第１実施形態に係るＵＥ３００と同様に、その要部に着目すれば、無線送受信処理部３０１と、制御部４０３と、メモリ３０４とを備えている。
【００８３】
第２実施形態に係るＵＥ４００では、制御部４０３は、その内部に構成される論理的な又は機能的な処理ブロックとして、測定結果報知処理部４１０を備えている。このような処理ブロックは、例えば制御部４０３の動作を規定するファームウェアの一部のプログラムの動作として実現されてもよいし、或いはファームウェアから独立したプログラムの動作として実現されてもよい。或いは、測定結果報知処理部４１０は、制御部４０３とは独立した１つの回路として実現されてもよい。
【００８４】
測定結果報知処理部４１０は、無線品質測定結果を示すメッセージを作成すると共に、無線送受信処理部３０１を介して当該メッセージをｅＮＢ２００に対して送信する。
【００８５】
（２−３）第１動作例
続いて、図１０を参照して、第２実施形態に係る無線通信システム２が備えるｅＮＢ２００の第１動作例（セルＩＤの特定動作）について説明する。ここに、図１０は、第２実施形態に係る無線通信システム２が備えるｅＮＢ２００の第１動作例の流れを示すフローチャートである。
【００８６】
図１０に示すように、ｅＮＢ２００は、上述したステップＳ１１からステップＳ１５の動作を行うことで、ｅＮＢ２００自身が使用するセルＩＤを特定する。その後、ｅＮＢ２００は、ステップＳ１５において特定されたセルＩＤを用いて、ＵＥ３００との間で無線通信を行う。
【００８７】
その後、ｅＮＢ２００が備えるセルＩＤ衝突検知部２１１は、ＵＥ４００から送信されるメッセージに基づいて、他のｅＮＢ２００との間でセルＩＤが衝突しているか否かを判定する（ステップＳ２１）。具体的には、ＵＥ４００が備える測定結果報知処理部４１０は、定期的に又は非定期的に、無線品質測定結果を示すメッセージ（Measurement Report）をｅＮＢ２００に対して送信する。このメッセージ内には、ＵＥ４００の現在の通信先となっているｅＮＢ２００の基地局ＩＤ及び当該ｅＮＢ２００がカバーするセル２５０のセルＩＤが含まれている。セルＩＤ衝突検知部２１１は、受信したメッセージ内に含まれているセルＩＤと自身が使用しているセルＩＤとが同一であり且つ受信したメッセージ内に含まれている基地局ＩＤと自身の基地局ＩＤとが異なる場合に、他のｅＮＢ２００との間でセルＩＤが衝突していると判定する。一方で、セルＩＤ衝突検知部２１１は、メッセージ内に含まれているセルＩＤと自身が使用しているセルＩＤとが異なるか又はメッセージ内に含まれている基地局ＩＤと自身の基地局ＩＤとが同一である場合には、他のｅＮＢ２００との間でセルＩＤが衝突していないと判定する。
【００８８】
ステップＳ２１における判定の結果、他のｅＮＢ２００との間でセルＩＤが衝突していないと判定された場合には（ステップＳ２１：Ｎｏ）、セルＩＤの特定動作を終了する。或いは、他のｅＮＢ２００との間でセルＩＤが衝突しているか否かの検知動作を継続してもよい。
【００８９】
一方で、ステップＳ２１における判定の結果、他のｅＮＢ２００との間でセルＩＤが衝突していると判定された場合には（ステップＳ２１：Ｙｅｓ）、続いて、ｅＮＢ２００が備える候補マトリクス再選択処理部２１２は、セルＩＤの特定に使用されるブロックマトリクス１６０を再度選択するよう候補マトリクス選択部１１１を制御する。その結果、候補マトリクス選択部１１１は、セルＩＤを特定するために使用するブロックマトリクス１６０を、ステップＳ１１において指定されたブロックマトリクス１６０から、新たなブロックマトリクス１６０へと変更する（ステップＳ２２）。
【００９０】
このようなブロックマトリクス１６０の変更を行うため、複数種類のブロックマトリクス１６０が予め決定されていることが好ましい。より具体的には、例えば、第１の種類のブロックマトリクス１６０を特定するパラメータと、第２の種類のブロックマトリクス１６０を特定するパラメータと、・・・、第ｎ（但し、ｎは２以上の整数）の種類のブロックマトリクス１６０を特定するパラメータとの夫々が、ｅＮＢ２００の動作用のパラメータとしてメモリ１０４等に格納されていることが好ましい。また、各ブロックマトリクス１６０には、異なるセルＩＤが割り当てられている。より具体的には、第１の種類のブロックマトリクス１６０に含まれる各ブロック１７０に割り当てられているセルＩＤと、第２の種類のブロックマトリクス１６０に含まれる各ブロック１７０に割り当てられているセルＩＤと、・・・、第ｎの種類のブロックマトリクス１６０に含まれる各ブロック１７０に割り当てられているセルＩＤとは、いずれも異なる。また、ブロックマトリクス１６０の種類の数（つまり、上述のｎ）は、セル２５０の重複を許容する数となることが好ましい。例えば、無線通信システム２においてｋ個のセル２５０の重複が許容されている場合には、ブロックマトリクス１６０の種類の数（つまり、上述のｎ）は、ｋとなることが好ましい。これにより、ｋ個のセル２５０の重複が許容されている場合であっても、ｋ個のセル２５０の夫々に対して、互いに重複しないセルＩＤを特定することができる。
【００９１】
その後、候補マトリクス再選択処理部２１２は、使用するブロックマトリクス１６０を変更した旨を、ステップＳ２１においてセルＩＤが衝突していると判定された衝突先のｅＮＢ２００に対して通知する（ステップＳ２３）。より具体的には、候補マトリクス再選択処理部２１２は、無線送受信処理部１０１を介して、変更後のブロックマトリクス１６０を特定可能な情報を含むメッセージ（例えば、Cell ID Collision Indication）を、衝突先のｅＮＢ２００に対して送信する。また、候補マトリクス再選択処理部２１２は、上記メッセージの応答として、無線送受信処理部１０１を介して、メッセージ（例えば、Cell ID Collision Response）を衝突のｅＮＢ２００から受信する。
【００９２】
その後、ｅＮＢ２００は、変更後のブロックマトリクス１６０を用いてステップＳ１３からステップＳ１５の動作を行う。その結果、ｅＮＢ２００は、新たなセルＩＤを特定する。
【００９３】
以上説明したセルＩＤの特定動作について、図１１に示す実施例を参照しながらより詳細に説明する。ここに、図１１は、第１動作例に係るセルＩＤの具体的な特定動作をブロックマトリクス１６０上で示す平面図である。
【００９４】
図１１（ａ）に示すように、ｅＮＢ２００ａとｅＮＢ２００ｂとが同一の位置に配置されているとする。この場合、ｅＮＢ２００ａの位置に対応するブロック１７０とｅＮＢ２００ｂの位置に対応するブロック１７０とが一致してしまう。このため、仮に１つのブロックマトリクス１６０を用いてセルＩＤを特定すると、ｅＮＢ２００ａが使用するセルＩＤとｅＮＢ２００ｂが使用するセルＩＤとが一致してしまう。以下、このような状況の下、ＵＥ４００より無線品質測定結果を示すメッセージに基づいてセルＩＤが衝突しているとｅＮＢ２００ａが判定した場合の動作について説明する。
【００９５】
ＵＥ４００より無線品質測定結果を示すメッセージに基づいてセルＩＤが衝突しているとｅＮＢ２００ａが備えるセルＩＤ衝突検知部２１１により判定された場合には、ｅＮＢ２００ａが備える候補マトリクス再選択処理部２１２は、セルＩＤを特定するために使用するブロックマトリクス１６０を、それまでに使用していたブロックマトリクス１６０ａ（図１１（ｂ）参照）から新たなブロックマトリクス１６０ｂ（図１１（ｃ）参照）へと変更する。
【００９６】
新たなブロックマトリクス１６０ｂの各ブロック１７０ｂには、それまでに使用していたブロックマトリクス１６０ａの各ブロック１７０ａに割り当てられているセルＩＤとは異なるセルＩＤが割り当てられている。図１１（ｂ）及び（ｃ）に示す例では、ブロックマトリクス１６０ａ中の複数のブロック１７０ａには、「１」から「１４４」のセルＩＤが割り当てられており、ブロックマトリクス１６０ｂ中の複数のブロック１７０ｂには、「１４５」から「２８８」のセルＩＤが割り当てられている。
【００９７】
以降は、ｅＮＢ１００ａは、ブロックマトリクス１６０ｂを用いてセルＩＤを特定する一方で、ｅＮＢ１００ｂは、ブロックマトリクス１６０ａを用いてセルＩＤを特定する。このため、ｅＮＢ２００ａとｅＮＢ２００ｂとの間でセルＩＤが衝突することはなくなる。従って、第１動作例によれば、複数のセル２５０が地理的に重複する場合であっても、各セル２５０に対して、互いに重複しないセルＩＤを特定することができる。
【００９８】
更に、第１動作例によれば、ブロックマトリクスを変更したｅＮＢ２００（以降、説明の簡略化のため、“ｅＮＢ２００ａ”と称する）は、ブロックマトリクス１６０を変更した旨を、衝突先のｅＮＢ２００（以降、説明の簡略化のため、“ｅＮＢ２００ｂ”と称する）に対して通知している。このため、衝突先のｅＮＢ２００ｂは、ｅＮＢ２００ｂ自身が使用しているブロックマトリクス１６０の種類に加えて、ｅＮＢ２００ａが使用しているブロックマトリクス１６０の種類をも認識することができる。仮に、ブロックマトリクス１６０を変更した旨がＮＢ２００ａから衝突先のｅＮＢ２００ｂに対して通知されなければ、衝突先のｅＮＢ２００ｂは、ｅＮＢ２００ａが使用しているブロックマトリクス１６０の種類を認識することができない。このため、仮に新たに他のｅＮＢ（例えば、ｅＮＢ２００ｃ）との間でセルＩＤが衝突しているとｅＮＢ２００ｂが判定した場合には、ｅＮＢ２００ｂは、ｅＮＢ２００ｂ自身が使用しているブロックマトリクス１６０以外のブロックマトリクス１６０に変更することになる。しかしながら、変更後のブロックマトリクス１６０が、ｅＮＢ２００ａが使用しているブロックマトリクス１６０と同一になってしまった場合には、再度ｅＮＢ２００ａとｅＮＢ２００ｂとの間でセルＩＤが衝突してしまう。しかるに、第１動作例によれば、仮に新たに他のｅＮＢ２００ｃとの間でセルＩＤが衝突しているとｅＮＢ２００ｂが判定した場合には、ｅＮＢ２００ｂは、ｅＮＢ２００ｂ自身が使用しているブロックマトリクス１６０及びｅＮＢ２００ａが使用しているブロックマトリクス１６０以外のブロックマトリクス１６０に変更することができる。従って、ブロックマトリクス１６０の変更によってセルＩＤが再度衝突してしまう事態は殆ど或いは全く生じなくなる。
【００９９】
（２−４）第２動作例
続いて、図１２を参照して、第２実施形態に係る無線通信システム２が備えるｅＮＢ２００の第２動作例（セルＩＤの特定動作）について説明する。ここに、図１２は、第２実施形態に係る無線通信システム２が備えるｅＮＢ２００の第２動作例の流れを示すフローチャートである。
【０１００】
上述の第１動作例では、２つのｅＮＢ２００のセル２５０が重複する場合には、一方のｅＮＢ２００のみが衝突を検知する（つまり、判定する）場合の例について説明している。しかしながら、２つのｅＮＢ２００のセル２５０が重複する場合には、２つのｅＮＢ２００の双方が同時に衝突を検知することも想定される。このような状況の発生に備え、第２動作例は、２つのｅＮＢ２００の双方が同時に衝突を検知する場合におけるセルＩＤの特定する動作を行う。
【０１０１】
図１２に示すように、ｅＮＢ２００（以降、説明の簡略化のために、“ｅＮＢ２００ａ”と称する）は、上述したステップＳ１１からステップＳ１５の動作を行うことで、ｅＮＢ２００ａ自身が使用するセルＩＤを特定する。その後、ｅＮＢ２００ａは、ステップＳ１５において特定されたセルＩＤを用いて、ＵＥ３００との間で無線通信を行う。
【０１０２】
その後、ｅＮＢ２００ａが備えるセルＩＤ衝突検知部２１１は、ＵＥ４００から送信されるメッセージに基づいて、他のｅＮＢ２００（以降、説明の簡略化のために、“ｅＮＢ２００ｂ”と称する）との間でセルＩＤが衝突しているか否かを判定する（ステップＳ２１）。
【０１０３】
ステップＳ２１における判定の結果、ｅＮＢ２００ａとｅＮＢ２００ｂとの間でセルＩＤが衝突していないと判定された場合には（ステップＳ２１：Ｎｏ）、ｅＮＢ２００ａは、セルＩＤの特定動作を終了する。或いは、ｅＮＢ２００ａは、他のｅＮＢ２００ｂとの間でセルＩＤが衝突しているか否かの検知動作を継続してもよい。
【０１０４】
一方で、ステップＳ２１における判定の結果、ｅＮＢ２００ａとｅＮＢ２００ｂとの間でセルＩＤが衝突していると判定された場合には（ステップＳ２１：Ｙｅｓ）、続いて、ｅＮＢ２００ａが備えるセルＩＤ衝突検知部２１１は、無線送受信処理部１０１を介して、ｅＮＢ２００ｂに対して、セルＩＤが衝突している旨を通知するメッセージを送信する（ステップＳ３１）。メッセージの送信は、例えば、ｅＮＢ２００間の通信を規定するＸ２インタフェース等を用いて行ってもよい。
【０１０５】
その後、ｅＮＢ２００ａが備えるセルＩＤ衝突検知部２１１は、ステップＳ３１におけるメッセージの送信先であるｅＮＢ２００ｂから、セルＩＤが衝突している旨を通知するメッセージを受信したか否かを判定する（ステップＳ３２）。言い換えれば、ｅＮＢ２００ａが備えるセルＩＤ衝突検知部２１１は、ステップＳ３１においてメッセージを送信したｅＮＢ２００ｂから、セルＩＤが衝突している旨を通知するメッセージが送信されているか否かを判定する。つまり、ステップＳ３２では、ｅＮＢ２００ａ及びｅＮＢ２００ｂの夫々によってセルＩＤの衝突が同時に検知されたか否かが判定される。
【０１０６】
ステップＳ３２における判定の結果、セルＩＤが衝突している旨を通知するメッセージを受信していないと判定された場合には（ステップＳ３２：Ｎｏ）、ｅＮＢ２００ａにおいてのみセルＩＤの衝突が検知され且つｅＮＢ２００ｂにおいてはセルＩＤの衝突が検知されていないと想定される。従って、この場合、ｅＮＢ２００ａは、ステップＳ２２及びステップＳ２３に示す動作を行うことで、セルＩＤを特定するために使用するブロックマトリクス１６０を変更すると共に（ステップＳ２２）、使用するブロックマトリクス１６０を変更した旨をｅＮＢ２００ｂに対して通知する（ステップＳ２３）。その後、ｅＮＢ２００ａは、変更後のブロックマトリクス１６０を用いてステップＳ１３からステップＳ１５の動作を行う。その結果、ｅＮＢ２００は、新たなセルＩＤを特定する。
【０１０７】
一方、ステップＳ３２における判定の結果、セルＩＤが衝突している旨を通知するメッセージを受信したと判定された場合には（ステップＳ３２：Ｙｅｓ）、ｅＮＢ２００ａ及びｅＮＢ２００ｂの双方においてセルＩＤの衝突が同時に検知されたと想定される。この場合、ｅＮＢ２００ａが備えるセルＩＤ衝突検知部２１１は、ｅＮＢ２００ａの基地局ＩＤが、例えばｅＮＢ２００ｂから送信されるメッセージに含まれているｅＮＢ２００ｂの基地局ＩＤよりも大きいか否かを判定する（ステップＳ３３）。
【０１０８】
ステップＳ３３における判定の結果、ｅＮＢ２００ａの基地局ＩＤがｅＮＢ２００ｂの基地局ＩＤよりも大きくないと判定された場合には（ステップＳ３３：Ｎｏ）、ｅＮＢ２００ａは、ステップＳ２２及びステップＳ２３に示す動作を行うことで、セルＩＤを特定するために使用するブロックマトリクス１６０を変更すると共に（ステップＳ２２）、使用するブロックマトリクス１６０を変更した旨をｅＮＢ２００ｂに対して通知する（ステップＳ２３）。その後、ｅＮＢ２００ａは、変更後のブロックマトリクス１６０を用いてステップＳ１３からステップＳ１５の動作を行う。その結果、ｅＮＢ２００は、新たなセルＩＤを特定する。つまり、ｅＮＢ２００ａの基地局ＩＤがｅＮＢ２００ｂの基地局ＩＤよりも大きくない場合には、ｅＮＢ２００ａは、自身の優先度がｅＮＢ２００ｂよりも低いと判断し、ブロックマトリクス１６０の変更を行う。
【０１０９】
一方、ステップＳ３３における判定の結果、ｅＮＢ２００ａの基地局ＩＤがｅＮＢ２００ｂの基地局ＩＤよりも大きいと判定された場合には（ステップＳ３３：Ｙｅｓ）、ｅＮＢ２００ａは、ブロックマトリクス１６０の変更を行うことなく動作を終了する。この場合には、ｅＮＢ２００ｂ側においてブロックマトリクス１６０の変更が行われる。つまり、ｅＮＢ２００ａの基地局ＩＤがｅＮＢ２００ｂの基地局ＩＤよりも大きい場合には、ｅＮＢ２００ａは、自身の優先度がｅＮＢ２００ｂよりも高いと判断し、ブロックマトリクス１６０の変更を行わない（言い換えれば、ｅＮＢ２００ｂにブロックマトリクス１６０を変更させる）。
【０１１０】
このような第２動作例により、複数のｅＮＢ２００の双方が同時に衝突を検知する場合であっても、複数のｅＮＢ２００の間で矛盾することなくセルＩＤを適切に特定することができる。
【０１１１】
尚、上述の説明では、ブロックマトリクス１６０を変更するか否かを決定するための優先度の判定のために、ｅＮＢ２００の基地局ＩＤを用いる例について説明している。しかしながら、基地局ＩＤに限らず、ｅＮＢ２００を一意に識別することができる各種識別番号、パラメータ或いは変数等を用いて、優先度の判定を行ってもよい。
【０１１２】
以上説明した第１及び第２実施形態に関して、更に以下の付記を開示する。
【０１１３】
（付記１）
自局の位置を特定するための位置情報を取得する第１取得手段と、一意に識別可能なセル識別子が対応付けられた領域を示すブロックを含み、自局のセル範囲及び自局との間での前記セル識別子の重複使用を回避すべきセル範囲をカバーする領域を示し、複数の前記ブロックを有するマトリクスを取得する第２取得手段と、前記位置情報により特定される自局の位置及び前記マトリクスの夫々に基づいて、自局のセル範囲内に含まれる前記ブロックに対応付けられた前記セル識別子を特定する特定手段とを備えることを特徴とする無線基地局。
【０１１４】
（付記２）
前記特定手段は、前記位置情報から特定される自局の位置に対応する一の前記ブロックを特定し、且つ特定された前記一のブロックを中心として自局のセル範囲に含まれる少なくとも一つのブロックに対応付けられたセル識別子を特定することを特徴とする付記１に記載の無線基地局。
【０１１５】
（付記３）
前記特定手段は、前記位置情報から特定される自局の位置を示す位置パラメータを前記マトリクスに配列されている複数の前記ブロックの行数及び列数で除算することによって生ずる剰余から、前記一のブロックを特定することを特徴とする付記２に記載の無線基地局。
【０１１６】
（付記４）
前記マトリクスは、自局のセル範囲及び自局と隣接する少なくとも一つの他の無線基地局のセル範囲をカバーすることを特徴とする付記１から３のいずれか一項に記載の無線基地局。
【０１１７】
（付記５）
自局のセル範囲と重複するセル範囲をカバーする他の無線基地局が存在するか否かを判定する判定手段を更に備え、前記取得手段は、自局のセル範囲と重複するセル範囲をカバーする他の無線基地局が存在すると判定された場合には、夫々に異なる前記セル識別子が割り当てられた複数のマトリクスのうち前記他の無線基地局が使用するマトリクス以外の他のマトリクスを取得し、前記特定手段は、自局のセル範囲と重複するセル範囲をカバーする他の無線基地局が存在すると判定された場合には、前記他のマトリクスに基づいて、前記セル識別子を特定することを特徴とする付記１から４のいずれか一項に記載の無線基地局。
【０１１８】
（付記６）
前記他のマトリクスに変更した旨を前記他の無線基地局に対して通知する通知手段を更に備えることを特徴とする付記５に記載の無線基地局。
【０１１９】
（付記７）
前記取得手段は、前記他の無線基地局が存在すると判定され且つ前記他の無線基地局の優先度が自局の優先度よりも高い場合には、前記複数のマトリクスのうち前記他の無線基地局が使用するマトリクス以外の他のマトリクスを取得し、前記特定手段は、前記他の無線基地局が存在すると判定され且つ前記他の無線基地局の優先度が自局の優先度よりも高い場合には、前記他のマトリクスに基づいて、前記セル識別子を特定することを特徴とする付記５又は６に記載の無線基地局。
【０１２０】
（付記８）
無線基地局におけるセル識別子の特定方法であって、自局の位置を特定するための位置情報を取得する第１取得工程と、一意に識別可能なセル識別子が対応付けられた領域を示すブロックを含み、自局のセル範囲及び自局との間での前記セル識別子の重複使用を回避すべきセル範囲をカバーする領域を示し、複数の前記ブロックを有するマトリクスを取得する第２取得工程と、前記位置情報により特定される自局の位置及び前記マトリクスの夫々に基づいて、自局のセル範囲内に含まれる前記ブロックに対応付けられた前記セル識別子を特定する特定工程とを備えることを特徴とするセル識別子の特定方法。
【０１２１】
（付記９）
前記特定工程は、前記位置情報から特定される自局の位置に対応する一の前記ブロックを特定し、且つ特定された前記一のブロックを中心として自局のセル範囲に含まれる少なくとも一つのブロックに対応付けられたセル識別子を特定することを特徴とする付記８に記載のセル識別子の特定方法。
【０１２２】
（付記１０）
前記特定工程は、前記位置情報から特定される自局の位置を示す位置パラメータを前記マトリクスに配列されている前記複数のブロックの行数及び列数で除算することによって生ずる剰余から、前記一のブロックを特定することを特徴とする付記９に記載のセル識別子の特定方法。
【０１２３】
（付記１１）
前記マトリクスは、自局のセル範囲及び自局と隣接する少なくとも一つの他の無線基地局のセル範囲をカバーすることを特徴とする付記８から１０のいずれか一項に記載のセル識別子の特定方法。
【０１２４】
（付記１２）
自局のセル範囲と重複するセル範囲をカバーする他の無線基地局が存在するか否かを判定する判定工程を更に備え、前記取得工程は、自局のセル範囲と重複するセル範囲をカバーする他の無線基地局が存在すると判定された場合には、夫々に異なる前記セル識別子が割り当てられた複数のマトリクスのうち前記他の無線基地局が使用するマトリクス以外の他のマトリクスを取得し、前記特定工程は、自局のセル範囲と重複するセル範囲をカバーする他の無線基地局が存在すると判定された場合には、前記他のマトリクスに基づいて、前記セル識別子を特定することを特徴とする付記８から１１のいずれか一項に記載のセル識別子の特定方法。
【０１２５】
（付記１３）
前記他のマトリクスに変更した旨を前記他の無線基地局に対して通知する通知工程を更に備えることを特徴とする付記１２に記載のセル識別子の特定方法。
【０１２６】
（付記１４）
前記取得工程は、前記他の無線基地局が存在すると判定され且つ前記他の無線基地局の優先度が自局の優先度よりも高い場合には、前記複数のマトリクスのうち前記他の無線基地局が使用するマトリクス以外の他のマトリクスを取得し、前記特定工程は、前記他の無線基地局が存在すると判定され且つ前記他の無線基地局の優先度が自局の優先度よりも高い場合には、前記他のマトリクスに基づいて、前記セル識別子を特定することを特徴とする付記１２又は１３に記載のセル識別子の特定方法。
【０１２７】
本発明は、上述した実施形態に限られるものではなく、請求の範囲及び明細書全体から読み取れる発明の要旨或いは思想に反しない範囲で適宜変更可能であり、そのような変更を伴う無線基地局及びセル識別子の特定方法もまた本発明の技術的範囲に含まれるものである。
【符号の説明】
【０１２８】
１、２  無線通信システム
１００、２００  ｅＮＢ
１０２  ＧＰＳ制御部
１０３  制御部
１１０  マトリクス管理部
１１１  候補マトリクス選択部
１１２  ブロック位置算出処理部
１１３  セルＩＤ変換処理部
１２０  オーバーラップ制御部
１２１  セルＩＤ衝突検知部
１２２  候補マトリクス再選択処理部
１５０  セル
１６０  ブロックマトリクス
１７０  ブロック
３００、４００  ＵＥ
３０３  制御部
３１０  測定結果報知処理部
【図１】
2011124758.tif 000003
【図２】
2011124758.tif 000004
【図３】
2011124758.tif 000005
【図４】
2011124758.tif 000006
【図５】
2011124758.tif 000007
【図６】
2011124758.tif 000008
【図７】
2011124758.tif 000009
【図８】
2011124758.tif 000010
【図９】
2011124758.tif 000011
【図１０】
2011124758.tif 000012
【図１１】
2011124758.tif 000013
【図１２】
2011124758.tif 000014